(57)【要約】      （修正有）【課題】僅少なアタリを大きく拡大して釣り人に分かりやすく知らせることのできる魚信拡大装置付き浮子を提供する。【解決手段】外浮子２の中心縦方向に穿設した貫通孔に中浮子１０を挿通する。中浮子１０は浮き上げ機構１８によって浮き上げ上下移動自在とする。アタリによる中浮子１０の移動および浮子固定パイプ１９の移動を大小の調車２６，２８と調帯２７，２９による伝動機構２５で構成する。中浮子１０の移動距離よりも浮子固定パイプ１９の移動距離を拡大するように構成する。【選択図】図１
0003155217.tif 000002
【実用新案登録請求の範囲】
【請求項１】
外浮子の中心縦方向に穿設した貫通孔に中浮子を挿通し、該中浮子を浮き上げ機構によって浮き上げ上下移動動自在とし、アタリによる中浮子の移動および浮子固定パイプの移動を大小の調車と調帯による伝動機構で行い、中浮子の移動距離よりも浮子固定パイプの移動距離を拡大するように構成したことを特徴とする魚信拡大装置付き浮子。
【請求項２】
前記浮き上げ機構は、中浮子に挿通する永久磁石群のＮ極とＳ極を対向して生じる反発磁力によって浮き上げていることを特徴とする魚信拡大装置付き浮子。
【請求項３】
前記大小の調車と調帯による伝動機構は、大プーリーとＶベルトおよび小プーリーとＶベルトであり、大プーリーのＶベルトが浮子固定パイプの止着部に止められ、小プーリーのＶベルトが上部磁石の止着部に止められていることを特徴とする魚信拡大装置付き浮子。
【請求項４】
小プーリーと大プーリーの外径の比率を少なくとも１：２にしたことを特徴とする魚信拡大装置付き浮子。
【考案の詳細な説明】
【技術分野】
【０００１】
本考案は、海釣りなどで使用する浮子に関し、さらに詳しくは、仕掛けを遠方に飛ばす投げ釣り用の浮子に関するもので、小さい魚信を大きく拡大して釣り人に魚信を分かりやすく知らせる魚信拡大装置付き浮子に関するものである。
【背景技術】
【０００２】
従来から、海岸、防波堤、磯などで釣りをする場合には、釣り上げる対象魚のポイントに仕掛けを遠くへ飛ばして釣る投げ釣りがある。この投げ釣りで使用する浮子は、より遠く飛ばすために円錐形、球形、紡錘形などの大きいサイズのものを使用しているが、その分、浮子の浮力も大きくなるため、魚信（アタリ）の感度が敏感に伝わらず、僅少なアタリを見過ごしてしまうことがある。
【０００３】
上記浮子は、道糸の下方に付けられた錘や釣針、餌などの重量と浮子との浮力をバランスさせて、浮子が海面に略半分程度出るようにして使用されている。この上記円錐形浮子、球形浮子、紡錘形浮子などは、水面が穏やかな時は容易にアタリの有無を見極めることができるが、海では波風のあることが多く、その場合には浮子が上下動してアタリがあったか否かの区別がつかめず、竿を合わせるチャンスを見逃してしまい釣果が上がらなかった。
【０００４】
そのため、浮子の上下動の確認がし易い目盛りの施された棒浮子を使用し海面より高く突出するのが良いとされている。しかし、目盛り部を高く浮かせるには浮子下の錘を軽くする必要があり、錘を軽くすると、餌が浮き上がりタナが取れないといった問題点があった。
【０００５】
これらの問題点を解決するものとして、親浮子と子浮子とからなる親子浮子が提案されている。すなわち、浮力の大きい外側にある親浮子の中心部に貫通孔を設け、その貫通孔にアタリに反応する縦長棒状の子浮子を縦方向に移動自在に挿通し、親浮子の上端部から突出してある。そして、アタリがあれば子浮子のみが下方に引っ張られ、子浮子の突出長さが短くなりアタリが確実に分かるようにした浮子が提案されている（例えば、特許文献１，２）。
【先行技術文献】
【特許文献】
【０００６】
【特許文献１】実開平５−８８２７２号公報
【特許文献２】実開平６−８１２７３号公報
【考案の概要】
【考案が解決しようとする課題】
【０００７】
しかしながら、上記特許文献１、２の親子浮子においては、確かに魚が餌に喰いついて引いた時に、子浮子のトップ部が親浮子の中に隠れるぐらいの大きな引きならば分かるが、小さなアタリならば分かりづらい。特にチヌやスズキなどの大きな魚ほど始めのアタリは小さいといわれている。これは、大物の魚ほど知恵があり、警戒心が強く、餌を見つけても簡単に喰いつくようなことはなく、餌をつついたり、触れたり、齧ったりする習性があり、そのようなアタリの状態を捉えなければ釣果が上がらない。
【０００８】
本考案は、上記のような問題点を解決することを課題として開発されたもので、僅少なアタリを大きく拡大して釣り人に分かりやすく知らせることのできる魚信拡大装置付き浮子を提供することを目的とするものである。
【課題を解決するための手段】
【０００９】
上記の課題を解決し、その目的を達成する手段として、本考案は、外浮子の中心縦方向に穿設した貫通孔に中浮子を挿通し、該中浮子を浮き上げ機構によって浮き上げ上下移動自在とし、アタリによる中浮子の移動および浮子固定パイプの移動を大小の調車と調帯による伝動機構で行い、中浮子の移動距離よりも浮子固定パイプの移動距離を拡大するように構成したことを特徴とする魚信拡大装置付き浮子を開発し、採用した。
【００１０】
また、上記のように構成した魚信拡大装置付き浮子において、前記浮き上げ機構は、中浮子に挿通する永久磁石群のＮ極とＳ極を対向して生じる反発磁力によって浮き上げていることを特徴とする魚信拡大装置付き浮子、および前記大小の調車と調帯による伝動機構は、大プーリーとＶベルトおよび小プーリーとＶベルトであり、大プーリーのＶベルトが浮子固定パイプの止着部に止められ、小プーリーのＶベルトが上部磁石の止着部に止められていることを特徴とする魚信拡大装置付き浮子、および小プーリーと大プーリーの外径の比率を少なくとも１：２にしたことを特徴とする魚信拡大装置付き浮子を開発し、採用した。
【考案の効果】
【００１１】
請求項１によれば、魚の喰いつきによる中浮子の移動距離より、浮子固定パイプの移動距離を大きく拡大したことに伴って、電気浮子も大きく下降して釣り人にアタリを確実に知らせることができ釣果を上げることができる。
【００１２】
また、請求項２によれば、中浮子は永久磁石群のＮ極とＳ極を対向させて生じる反発磁力によって浮き上げているから、魚が餌に喰いつく時に何等の抵抗感を与えず喰いつきがよくなり釣果が上がる。また、中浮子の上下移動が極めてスムーズになる。
【００１３】
さらに、請求項３によれば、大小の調車と調帯による伝動機構は、大プーリーとＶベルトおよび小プーリーとＶベルトであり、大プーリーのＶベルトが浮子固定パイプの止着部に止められ、小プーリーのＶベルトが上部磁石の止着部に止められているから、中浮子および浮子固定パイプの上下移動が確実になる。
【００１４】
また、請求項４によれれば、小プーリーと大プーリーの外径の比率を少なくとも１：２にしてあるから、仮に中浮子の移動距離が１０ｍｍとした場合、浮子固定パイプの移動距離は２０ｍｍと拡大して大きく下動することから僅少のアタリでも確実に分かる。
【図面の簡単な説明】
【００１５】
【図１】本考案の魚信拡大装置付き浮子の縦断正面図である。
【図２】アタリがない状態とアタリが生じた状態を示す魚信拡大装置付き浮子の縦断正面図である。
【図３】中浮子の正面図である。
【図４】中浮子の浮上げ機構と調帯伝動機構を示す正面図である。
【図５】外浮子の縦断正面図である。
【図６】シーブの平面図である。
【図７】調車と調帯の伝動機構を示す拡大説明図である。
【考案を実施するための形態】
【００１６】
以下に、本考案の実施の形態を添付図面の図１〜図７に基づいて説明すれば、本考案の魚信拡大装置付き浮子本体１は大別して、海面を浮遊する浮力の大きい外浮子２と、その外浮子２の内面中心部で上下移動自在のアタリを知らせる中浮子１０と、中浮子１０の浮き上げ機構１８と、中浮子１８の伝動機構２５により構成されている。
【００１７】
外浮子２は、木製、ゴム製、プラスチック製などからなり、図５に示すように全体形状が紡錘形に形成されており、上端に行くに従って先細りにした上部外浮子２ａと、短筒状の胴部を有する中部外浮子２ｂと、下端に行くにつれて先細りにした下部外浮子２ｃとの３分割体で構成されており、それぞれ螺合して一体的に形成されている。
【００１８】
前記上部外浮子２ａと下部外浮子２ｃには中心部に縦設する貫通孔３ａ，３ｃを穿設してあり、上部外浮子２ａの貫通孔３ａに上部パイプ４を挿嵌し、下部外浮子２ｃの貫通孔３ｃに下部パイプ５を挿嵌してある。また、上部外浮子２ａの下部内面には凹部６が設けられ、下部外浮子２ｃの上部内面には凹部７が設けられている。この凹部６と凹部７には後述の大プーリー２６，２６と小プーリー２８，２８を両側に取り付けた上部ライナー８と下部ライナー９が嵌合される。
【００１９】
１０は外浮子２の中心部に挿通してあるアタリにより下動する中浮子であり、図３に示すように、比較的細径で縦方向に長いアルミ管で構成されており、中間部よりやや上方の位置に左右突出片を持つ上限ストッパー１１を設けてある。この上限ストッパー１１は、前記下部パイプ５に挿嵌してある中浮子上限設定具兼磁石固定具１２に接している。１３は上端部に挿通した円盤状の上部永久磁石で、上部磁石固定リング１４、下部磁石固定リング１５を嵌めて固定してある。１６、１７は上部永久磁石１３の表裏面の両側に取り付けてある後述のＶベルト２９，２９の止着部である。
【００２０】
１８は中浮子１０の浮き上げ機構で、複数個の永久磁石群１８ａ………１８ｎで構成されている。すなわち、Ｎ極とＳ極を対向するように中浮子１０に通すことにより各磁石が反発しあって浮き上がっている。この永久磁石群１８ａ………１８ｎは、下部磁石固定リング１５と中浮子上限設定具兼磁石固定具１２との間に所定間隔を存して配設されており、最上部の永久磁石１８ａが下部磁石固定リング１５に接し、最下部の永久磁石１８ｎが中浮子上限設定具兼磁石固定具１２に接している。
【００２１】
１９は上部パイプ４の内面を上下移動する浮子固定パイプであり、両側の下端部に後述の大プーリー２６，２６に掛け渡したＶベルト２７，２７の端部を止める止着部２０、２０を設けてある。２１は電気浮子でありトップ部２２が浮子固定パイプ１９の上端より突出し、よく目立つ色彩になっていると共に、中間部の外周に弾性係止体２３が取り付けられており、その弾性係止体２３の弾性力により浮子固定パイプ１９の内壁面に圧設され一体になっている。また、電気浮子２１の下部連結管２１ａに乾電池２４の先部２４ａが嵌合すると共に、乾電池２４の後部２４ｂは前記中浮子１０の上端部に挿嵌している。
【００２２】
２５は伝動機構であり、上部ライナー８と下部ライナー９に設けた上下の大プーリー２６，２６、２６，２６とその大プーリー２６，２６、２６，２６間に掛け渡すＶベルト２７，２７を内側に、上下の小プーリー２８，２８、２８，２８とその小プーリー２８，２８、２８，２８間に掛け渡すＶベルト２９，２９を外側に配して構成されている。この小プーリー２８の径と大プーリー２６の径の比率は１：２もしくは１：３が適している。また、大プーリー２６と小プーリー２８は一体に連設されており、小プーリー２８に連結する軸部３０が軸受け３１で軸承されている。
【００２３】
そして、上部ライナー８と下部ライナー９の大プーリー２６，２６、２６，２６とその間に掛け渡すＶベルト２７，２７の端部を浮子固定パイプ１９の下端止着部２０，２０に止着されると共に、小プーリー２８，２８、２８，２８とその間に掛け渡すＶベルト２９，２９の端部を上部磁石１３の止着部１６，１７に止着してある。
【００２４】
このように構成した本考案の実施形態における使用例を説明すると、図２Ａに示すアタリのない状態から、図２Ｂに示すアタリが生じると、中浮子１０は永久磁石群１８ａ……１８ｎの磁気反発力による浮く力に抗して下方に移動する。すなわち、小プーリー２８，２８、２８，２８と大プーリー２６，２６、２６，２６に掛け渡されたＶベルト２９，２９およびＶベルト２７，２７によって伝動すると共に、小プーリー２８，２８、２８，２８側のＶベルト２９，２９は中浮子１０に設けた上部磁石１３の止着部１６，１７に止められ、一方、大プーリー２６，２６、２６，２６側のＶベルト２７，２７は浮子固定パイプ１９の止着部２０，２０に止められてあるから、小プーリー２８，２８の伝動による中浮子１０の移動距離Ａと大プーリー２６，２６の伝動による浮子固定パイプ１９の移動距離Ｂが小プーリー２８と大プーリー２６の外径の相違により移動距離が異なる。
【００２５】
すなわち、図２Ａに示す中浮子１０の上部磁石１３の位置が、図２Ｂに示す位置まで下動し、その移動距離Ａに対して、浮子固定パイプ１９の下端部の位置は、図２Ａの状態から図２Ｂに示す位置まで下動し、その移動距離ＢはＡの倍の移動距離になり、電気浮子２１のトップ部２２が上部パイプ４内に隠れることから、アタリが生じたことがはっきりと分かり、竿を合わせれば魚を釣り上げることができる。
【００２６】
この時、中浮子１０は永久磁石のＮ極とＳ極との反発力によって浮いていることから、魚が餌に喰いつく時に何等の抵抗感を与えず、最終の喰いこみを行うことになり釣り上げることができる。
【００２７】
以上、本考案の実施の形態について説明したが、本考案は上記実施の形態に限定されるものではなく、例えば、電気浮子に変えて昼用目盛り付き棒浮子でもよく、また、調帯による伝動機構として、大小プーリーとＶベルトによる伝動で説明したが、歯付きプーリーと歯付きベルトによる伝動機構でもよく、考案の目的を達成でき、かつ考案の要旨を逸脱しない範囲内において種々の設計変更が可能であることは言うまでもない。
【産業上の利用可能性】
【００２８】
本発明は、海岸、防波堤、磯などにおいて、仕掛けを遠方に投げて釣る時に用いる浮子として好適に利用できるものである。  
【符号の説明】
【００２９】
１              浮子本体
２              外浮子
２ａ            上部外浮子
２ｂ            中部外浮子
２ｃ            下部外浮子
６              下部凹部
７              上部凹部
１０            中浮子
１６            小プーリーＶベルト止着部
１７            小プーリーＶベルト止着部
１８            浮き上げ機構
１８ａ…１８ｎ  永久磁石群
１９            浮子固定パイプ
２０            大プーリーＶベルト止着部
２５            伝動機構
２６            大プーリー
２７            Ｖベルト
２８            小プーリー
２９            Ｖベルト
Ａ              中浮子の移動距離
Ｂ              浮子固定パイプの移動距離
【図１】
0003155217.tif 000003
【図２】
0003155217.tif 000004
【図３】
0003155217.tif 000005
【図４】
0003155217.tif 000006
【図５】
0003155217.tif 000007
【図６】
0003155217.tif 000008
【図７】
0003155217.tif 000009
【手続補正書】
【提出日】平成21年8月31日(2009.8.31)
【手続補正１】
【補正対象書類名】実用新案登録請求の範囲
【補正対象項目名】全文
【補正方法】変更
【補正の内容】
【実用新案登録請求の範囲】
【請求項１】
外浮子の中心縦方向に穿設した貫通孔に中浮子を挿通し、該中浮子を浮き上げ機構によって浮き上げ上下移動動自在とし、アタリによる中浮子の移動および浮子固定パイプの移動を大小の調車と調帯による伝動機構で行い、中浮子の移動距離よりも浮子固定パイプの移動距離を拡大するように構成したことを特徴とする魚信拡大装置付き浮子。
【請求項２】
前記浮き上げ機構は、中浮子に挿通する永久磁石群のＮ極とＳ極を対向して生じる反発磁力によって浮き上げていることを特徴とする請求項１に記載の魚信拡大装置付き浮子。
【請求項３】
前記大小の調車と調帯による伝動機構は、大プーリーとＶベルトおよび小プーリーとＶベルトであり、大プーリーのＶベルトが浮子固定パイプの止着部に止められ、小プーリーのＶベルトが上部磁石の止着部に止められていることを特徴とする請求項１または２記載の魚信拡大装置付き浮子。
【請求項４】
小プーリーと大プーリーの外径の比率を少なくとも１：２にしたことを特徴とする請求項３記載の魚信拡大装置付き浮子。